【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
超伝導故障電流限流器（ＳＣＦＣＬ）システムであって、
タンクと、
前記タンク内に収容されるクーラントと、
前記クーラント内に浸漬されたコネクタスタックであって、重ねて配置される複数のコネクタを備え、それぞれが２つの超伝導テープを保持するように適応された１つ以上の開口部を有する前記コネクタスタックと、
前記１つ以上の開口部のそれぞれ１つに配置され、対の構成とした２つの超伝導テープと、
を備える、超伝導故障電流限流器（ＳＣＦＣＬ）システム。
【請求項２】
請求項１に記載のＳＣＦＣＬシステムであって、前記コネクタスタック内の各コネクタは、第１面および前記第１面に対向する第２面を有することで、前記コネクタスタック内の第１コネクタの第１面は、第２コネクタの第２面上に配置するようにし、各第１面は第１凹部を備え、かつ各第２面は第２凹部を備えており、前記第１コネクタの第１凹部を前記第２コネクタの第２凹部に整列させることで、併せて前記１つ以上の開口部の１つを形成する、ＳＣＦＣＬシステム。
【請求項３】
請求項１に記載のＳＣＦＣＬシステムであって、前記コネクタスタック内の各コネクタは、第１面および前記第１面に対向する第２面を有することで、前記コネクタスタック内の第１コネクタの第１面は、第２コネクタの第２面上に配置するようにし、各第１面は、前記１つ以上の開口部の１つを形成する深い凹部を備える、ＳＣＦＣＬシステム。
【請求項４】
請求項１に記載のＳＣＦＣＬシステムであって、各超伝導テープの第１の面は超伝導であるが、前記第１の面に対向する第２の面は超伝導ではなく、対の構成とした前記２つの超伝導テープの第２の面は互いに隣接している、ＳＣＦＣＬシステム。
【請求項５】
請求項４に記載のＳＣＦＣＬシステムであって、前記２つの超伝導テープそれぞれの前記第１の面は、前記コネクタスタックにおけるコネクタの表面に物理的に接触している、ＳＣＦＣＬシステム。
【請求項６】
請求項１に記載のＳＣＦＣＬシステムであって、前記２つの超伝導テープのうち少なくとも一方は保護スリーブ内に配置される、ＳＣＦＣＬシステム。
【請求項７】
請求項６に記載のＳＣＦＣＬシステムであって、前記保護スリーブは、前記開口部内に延在しない、ＳＣＦＣＬシステム。
【請求項８】
超伝導テープと共に使用するための接続システムであって、
クーラント内に浸漬されたコネクタスタックであって、重ねて配置される複数のコネクタを備え、それぞれが２つの超伝導テープを保持するように適応された１つ以上の開口部を有する前記コネクタスタックと、
前記１つ以上の開口部のそれぞれ１つに配置され、対の構成とした２つの超伝導テープと、
を備える、接続システム。
【請求項９】
請求項８に記載の接続システムであって、前記２つの超伝導テープのうち少なくとも一方を保護スリーブ内に配置する、接続システム。
【請求項１０】
請求項９に記載の接続システムであって、前記保護スリーブは前記１つ以上の開口部内に延在していない、接続システム。
【請求項１１】
請求項８に記載のＳＣＦＣＬシステムであって、前記２つの超伝導テープのうち少なくとも一方は保護スリーブ内に配置される、ＳＣＦＣＬシステム。
【請求項１２】
請求項８に記載の接続システムであって、各超伝導テープの第１の面は超伝導であるが、前記第１の面に対向する第２の面は超伝導ではなく、対の構成とした前記２つの超伝導テープの第２の面は互いに隣接している、接続システム。
【請求項１３】
超伝導故障電流限流器（ＳＣＦＣＬ）システムであって、
タンクと、
前記タンク内に収容されるクーラントと、
前記クーラント内に浸漬された超伝導アレイと、
を備え、前記超伝導アレイは、
第１端部および第２端部を有する基板と、
重ねて配置される複数のコネクタを備え、それぞれが２つの超伝導テープを保持するように適応された１つ以上の第１開口部を有する、前記第１端部に配置される第１コネクタスタックと、
重ねて配置される複数のコネクタを備え、それぞれが２つの超伝導テープを保持するように適応された１つ以上の第２開口部を有する、前記第２端部に配置される第２コネクタスタックと、
各々が第１端部および第２端部を有する、対の構成とした２つの超伝導テープと、
を備え、前記２つの超伝導テープの第１端部は、前記１つ以上の第１開口部の１つに配置され、また前記２つの超伝導テープの第２端部は、前記１つ以上の第２開口部の１つに配置される、超伝導故障電流限流器（ＳＣＦＣＬ）システム。
【請求項１４】
請求項１３に記載のＳＣＦＣＬシステムであって、前記第１コネクタスタック内の各コネクタは、第１面と、前記第１面に対向する第２面とを有することで、前記第１コネクタスタック内の第１コネクタの第１面は、第２コネクタの第２面上に配置するようにし、各第１面は第１凹部を備え、かつ各第２面は第２凹部を備えており、前記第１コネクタの第１凹部を前記第２コネクタの第２凹部に整列させることで、併せて前記１つ以上の第１開口部の１つを形成する、ＳＣＦＣＬシステム。
【請求項１５】
請求項１３に記載のＳＣＦＣＬシステムであって、前記第１コネクタスタック内の各コネクタは、第１面と、前記第１面に対向する第２面とを有することで、前記第１コネクタスタック内の第１コネクタの第１面は、第２コネクタの第２面上に配置するようにし、各第１面は、前記１つ以上の第１開口部の１つを形成する深い凹部を備える、ＳＣＦＣＬシステム。
【請求項１６】
請求項１３に記載のＳＣＦＣＬシステムであって、前記２つの超伝導テープの各々の第１の面は超伝導であるが、前記第１の面に対向する第２の面は超伝導ではなく、前記２つの超伝導テープの第２の面は互いに隣接している、ＳＣＦＣＬシステム。
【請求項１７】
請求項１６に記載のＳＣＦＣＬシステムであって、前記２つの超伝導テープそれぞれの前記第１端部の前記第１の面は、前記第１コネクタスタックにおけるコネクタの表面に物理的に接触している、ＳＣＦＣＬシステム。
【請求項１８】
請求項１３に記載のＳＣＦＣＬシステムであって、前記２つの超伝導テープのうち少なくとも一方を保護スリーブ内に配置する、ＳＣＦＣＬシステム。
【請求項１９】
請求項１３に記載のＳＣＦＣＬシステムであって、前記２つの超伝導テープの両方を保護スリーブ内に配置する、ＳＣＦＣＬシステム。
【請求項２０】
請求項１９に記載のＳＣＦＣＬシステムであって、前記保護スリーブは、前記１つ以上の第１開口部または前記１つ以上の第２開口部内に延在しない、ＳＣＦＣＬシステム。
【手続補正２】
【補正対象書類名】明細書
【補正対象項目名】００３５
【補正方法】変更
【補正の内容】
【００３５】
更に、超伝導テープ２４０は、複数の層を含むことができ、層のうち１層以上は高温超伝導体（ＨＴＳ）層とすることができる。層におけるＨＴＳの例には、ＹＢＣＯ（yttrium barium copper oxide）あるいは他のレアアースＢＣＯ（barium copper oxide）（ＲｅＢＣＯ（rare earth barium copper oxide））、ＢＳＣＣＯ（bismuth strontium calcium copper oxide）、ＴＢＣＣＯ（thallium barium calcium copper oxide）、あるいはＨｇＢａ２Ｃａ２Ｃｕ３Ｏｘまたはその他の鉄（Ｆｅ）系ＨＴＳ等の酸化銅系超電導体を含む。ＨＴＳ層の上または下に、多様な導電性材料から形成された１層以上の層を配置する。これらの導電性材料は、銅、アルミニウム、銀、鋼、またはその他の導電性材料あるいは組成物を含む。従って、超伝導テープ２４０は、典型的に、超伝導材料の層を備える第１の面と、この第１の面に対向し、超伝導ではない第２の面と、を有する。対の構成にある超伝導テープ２４０は、２つのテープ２４０のうち超伝導ではない第２の面が互いに隣接するように配置する。